(57)【要約】【課題】マルチコアファイバと他の光学素子とを結合する際に、結合効率の低下を抑制可能な結合構造を提供することを目的とする。【解決手段】マルチコアファイバの結合構造は、光学素子と、マルチコアファイバと、結合光学系とを有する。光学素子は、複数の光源、複数の受光素子、及び複数のシングルコアファイバを束ねたファイバ束のうちのいずれかである。結合光学系は、光学素子とマルチコアファイバとを光学的に結合する。複数の光源間の間隔（複数の受光素子間の間隔、複数のシングルコアファイバ間の間隔）は、マルチコアファイバの複数のコア間の間隔より広くなっている。結合光学系は、反射素子と、結像光学系とを有する。反射素子は、出射側素子から出射した光を反射させる反射面を有する。結像光学系は、反射素子で反射された光を入射側素子に入射させる。【選択図】図２
2014219428.tif 000002
【特許請求の範囲】
【請求項１】
複数の光源、複数の受光素子、及び複数のシングルコアファイバを束ねたファイバ束のうちのいずれかの光学素子と、
複数のコアがクラッドで覆われたマルチコアファイバと、
前記光学素子及び前記マルチコアファイバの間に配置され、前記光学素子と前記マルチコアファイバとを光学的に結合する結合光学系と、
を有するマルチコアファイバの結合構造であって、
前記複数の光源間の間隔、前記複数の受光素子間の間隔及び前記複数のシングルコアファイバ間の間隔のうちいずれかが、前記マルチコアファイバの複数のコア間の間隔より広くなるよう配置され、
前記結合光学系は、
前記光学素子及び前記マルチコアファイバの一方からなる出射側素子から出射した光を反射させる反射面を有する反射素子と、
前記反射素子で反射された光を他方からなる入射側素子に入射させる結像光学系と、
を有することを特徴とするマルチコアファイバの結合構造。
【請求項２】
前記出射側素子又は前記入射側素子が、前記複数の光源又は複数の受光素子からなる場合、前記複数の光源又は前記複数の受光素子のうち少なくとも２つは、同一平面上に配置されていることを特徴とする請求項１記載のマルチコアファイバの結合構造。
【請求項３】
前記反射素子は、２つ以上の前記反射面を有する少なくとも一の部材により形成されていることを特徴とする請求項１又は２記載のマルチコアファイバの結合構造。
【請求項４】
前記反射面は、前記出射側素子から出射した光のうち、少なくとも２つの光を反射させるよう、前記出射側素子から出射した複数の光の進行方向に対して斜設されていることを特徴とする請求項３記載のマルチコアファイバの結合構造。
【請求項５】
前記反射面は、段差状に形成されていることを特徴とする請求項３記載のマルチコアファイバの結合構造。
【請求項６】
前記結像光学系は、複数のマイクロレンズがアレイ状に配置された構成であることを特徴とする請求項１から５のいずれかに記載のマルチコアファイバの結合構造。
【請求項７】
前記結合光学系は、
前記出射側素子から出射した光を前記結像光学系に導くリレーレンズ光学系を有し、
前記出射側素子、前記入射側素子、前記リレーレンズ光学系及び前記反射素子のいずれかを移動させることにより前記出射側素子と前記入射側素子との位置調整が可能となることを特徴とする請求項１から６のいずれかに記載のマルチコアファイバの結合構造。
【発明の詳細な説明】
【技術分野】
【０００１】
この発明は、光通信等に用いられる光学素子とマルチコアファイバとを結合させる結合構造に関する。
【背景技術】
【０００２】
スマートフォンやタブレット端末等の普及により、莫大な情報量を有するデータの通信が要求されている。それに伴い、光通信の更なる大容量化が望まれている。
【０００３】
従来の光通信は、クラッド内に一つのコアが設けられたシングルコアファイバを用いて行われている。しかし、一つのシングルコアファイバで通信を行う場合には容量の限界があるため、それを超える容量のデータ通信を行うための手段が要求されている。
【０００４】
これに関し、たとえば、一つのクラッド内に複数のコアが設けられた光ファイバであるマルチコアファイバを用いることができる（特許文献１、２参照）。マルチコアファイバは複数のコアを有するため、シングルコアファイバに比べ、大容量のデータ通信を行うことが可能となる。
【０００５】
光通信においては、このようなマルチコアファイバを、たとえば、シングルコアファイバを複数本束ねたファイバ束や、レーザーダイオード等の発光素子、フォトダイオード等の受光素子と光学的に結合させて使用する場合がある。以下、マルチコアファイバ、ファイバ束、発光素子及び受光素子の全て或いは一部を「光学素子」という場合がある。
【先行技術文献】
【特許文献】
【０００６】
【特許文献１】特開平１０−１０４４４３号公報
【特許文献２】特開平８−１１９６５６号公報
【発明の概要】
【発明が解決しようとする課題】
【０００７】
ここで、マルチコアファイバと他の光学素子とを光学的に結合する際には、結合効率の確保が問題となる。
【０００８】
同じコア数のマルチコアファイバ同士を結合する場合、マルチコアファイバ同士の位置合わせを行うことで、コア同士を確実に結合することができる。従って、結合損失を生じ難く、高い結合効率を達成することができる。
【０００９】
一方、マルチコアファイバと他の光学素子とを結合する場合には、結合効率が低下するという問題がある。たとえば、マルチコアファイバの各コアに対応する数の発光素子や受光素子を設ける場合、各コアの間隔は非常に狭いため、対応する発光素子や受光素子を近接して配置する必要がある（特許文献１参照）。
【００１０】
しかし、その場合には、光学素子のサイズによる光学素子同士の物理的干渉や、光学素子が発する熱や電気ノイズの影響により結合効率の低下を招くという問題がある。
【００１１】
この発明は上記の問題点を解決するものであり、マルチコアファイバと他の光学素子とを結合する際に、結合効率の低下を抑制可能な結合構造を提供することを目的とする。
【課題を解決するための手段】
【００１２】
上記課題を解決するために、請求項１記載のマルチコアファイバの結合構造は、光学素子と、マルチコアファイバと、結合光学系とを有する。光学素子は、複数の光源、複数の受光素子、及び複数のシングルコアファイバを束ねたファイバ束のうちのいずれかである。マルチコアファイバは、複数のコアがクラッドで覆われている。結合光学系は、光学素子及びマルチコアファイバの間に配置され、光学素子とマルチコアファイバとを光学的に結合する。複数の光源間の間隔、複数の受光素子間の間隔及び複数のシングルコアファイバ間の間隔のうちいずれかが、マルチコアファイバの複数のコア間の間隔より広くなるよう配置されている。結合光学系は、反射素子と、結像光学系とを有する。反射素子は、光学素子及びマルチコアファイバの一方からなる出射側素子から出射した光を反射させる反射面を有する。結像光学系は、反射素子で反射された光を他方からなる入射側素子に入射させる。
また、上記課題を解決するために、請求項２記載のマルチコアファイバの結合構造は、請求項１記載のマルチコアファイバの結合構造であって、出射側素子又は入射側素子が、複数の光源又は複数の受光素子からなる場合、複数の光源又は複数の受光素子のうち少なくとも２つは、同一平面上に配置されている。
また、上記課題を解決するために、請求項３記載のマルチコアファイバの結合構造は、請求項１又は２記載のマルチコアファイバの結合構造であって、反射素子は、２つ以上の反射面を有する少なくとも一の部材により形成されている。
また、上記課題を解決するために、請求項４記載のマルチコアファイバの結合構造は、請求項３記載のマルチコアファイバの結合構造であって、反射面は、出射側素子から出射した光のうち、少なくとも２つの光を反射させるよう、出射側素子から出射した複数の光の進行方向に対して斜設されている。
また、上記課題を解決するために、請求項５記載のマルチコアファイバの結合構造は、請求項３記載のマルチコアファイバの結合構造であって、反射面は、段差状に形成されている。
また、上記課題を解決するために、請求項６記載のマルチコアファイバの結合構造は、請求項１から５のいずれかに記載のマルチコアファイバの結合構造であって、結像光学系は、複数のマイクロレンズがアレイ状に配置された構成である。
また、上記課題を解決するために、請求項７記載のマルチコアファイバの結合構造は、請求項１から６のいずれかに記載のマルチコアファイバの結合構造であって、結合光学系は、リレーレンズ光学系を有する。リレーレンズ光学系は、出射側素子から出射した光を結像光学系に導く。出射側素子、入射側素子、リレーレンズ光学系及び反射素子のいずれかを移動させることにより出射側素子と入射側素子との位置調整が可能となる。
【発明の効果】
【００１３】
このように、反射素子を介して、出射側素子から出射した複数の光それぞれを、対応する入射側素子に導くことができる。よって、光学素子間の間隔をマルチコアファイバの複数のコア間の間隔より広くでき、且つ配置を簡素化することができる。これにより、光学素子のサイズによる光学素子同士の物理的干渉や、光学素子が発する熱や電気ノイズの影響を受けにくくなる。すなわち、マルチコアファイバ１と他の光学素子とを結合する際に、結合効率の低下を抑制することができる。
【図面の簡単な説明】
【００１４】
【図１】実施形態に共通のマルチコアファイバを示す図である。
【図２】第１実施形態に係る結合構造を示す図である。
【図３】第１実施形態に係る結合光学系を示す図である。
【図４】第１実施形態の変形例に係る結合構造を示す図である。
【図５】第１実施形態の変形例に係る結合光学系を示す図である。
【図６】第２実施形態に係る結合構造を示す図である。
【図７】第３実施形態に係る結合構造を示す図である。
【発明を実施するための形態】
【００１５】
［マルチコアファイバの構成］
図１を参照して、実施形態に共通のマルチコアファイバ１の構成について説明する。マルチコアファイバ１は、一般に可撓性を有する長尺の円柱部材である。図１は、マルチコアファイバ１の斜視図である。図１では、マルチコアファイバ１の先端部分のみを示している。
【００１６】
マルチコアファイバ１は、たとえば石英ガラスやプラスチック等、光の透過性が高い素材により形成されている。マルチコアファイバ１は、複数のコアＣｋ（ｋ＝１〜ｎ）と、クラッド２を含んで構成されている。
【００１７】
コアＣｋは、光源Ｄｋ（後述）からの光を伝送する伝送路である。コアＣｋはそれぞれ端面Ｅｋ（ｋ＝１〜ｎ）を有する。端面Ｅｋからは、光源Ｄｋ（後述）で発せられた光が出射される。クラッド２よりも屈折率を高めるために、コアＣｋは、たとえば石英ガラスに酸化ゲルマニウム（ＧｅＯ２）が添加された素材により形成されている。なお、図１では７つのコアＣ１〜Ｃ７を有する構成を示したが、コアＣｋの数は少なくとも２つ以上であればよい。また、図１ではコアＣ１を中心とする同心円上にコアＣ２〜Ｃ７が配置されている構成を示したが、少なくとも２つ以上のコアＣｋを有していれば、これに限らず任意の配置が可能である。
【００１８】
クラッド２は、複数のコアＣｋを覆う部材である。クラッド２は、光源Ｄｋ（後述）からの光をコアＣｋ内に閉じ込める役割を有する。クラッド２は端面２ａを有する。コアＣｋの端面Ｅｋ及びクラッド２の端面２ａは同一面（マルチコアファイバ１の端面１ｂ）を形成している。クラッド２の素材としては、コアＣｋの素材よりも屈折率が低い素材が用いられる。たとえば、コアＣｋの素材が石英ガラスと酸化ゲルマニウムからなる場合には、クラッド２の素材としては石英ガラスを用いる。このように、コアＣｋの屈折率をクラッド２の屈折率よりも高くすることで、光源Ｄｋ（後述）からの光をコアＣｋとクラッド２の境界面で全反射させる。よって、コアＣｋ内に光を伝送させることができる。
【００１９】
＜第１実施形態＞
次に、図２及び図３を参照して、第１実施形態に係るマルチコアファイバ１の結合構造について説明する。本実施形態では、複数の光源Ｄｋ（ｋ＝１〜ｎ）とマルチコアファイバ１とを、結合光学系１０により結合する構造について述べる。光源Ｄｋは、結合するマルチコアファイバ１のコア数（本実施形態では７つ）と等しい数（本実施形態では７個）設けられている。複数の光源Ｄｋと複数のコアＣｋとは一対一に対応付けられている。すなわち、ある光源Ｄｋ（たとえば、Ｄ１）からの光は対応するコアＣｋ（たとえば、Ｃ１）に導かれるようになっている。図２は、結合光学系１０、光源Ｄｋ及びマルチコアファイバ１の軸方向の断面図である。図２では、マルチコアファイバ１の３つのコア（Ｃ１、Ｃ２、Ｃ５）、及び対応する３個の光源（Ｄ１、Ｄ２、Ｄ５）のみを示している。図３は、図２の矢印Ａ方向から結合光学系１０を見た図である。
【００２０】
［結合光学系の構成］
結合光学系１０は、光源Ｄｋ及びマルチコアファイバ１の間に配置され、光源Ｄｋとマルチコアファイバ１とを光学的に結合する。結合光学系１０は、リレーレンズ系１１と、反射素子１２と、支持部材１３と、結像光学系１４とを含んで構成されている。
【００２１】
リレーレンズ系１１は、光源Ｄｋから出射された光を（反射素子１２を介して）結像光学系１４に導く機能を有している。リレーレンズ系１１は、光源Ｄｋと等しい数だけ設けられている（本実施形態では７つ）。リレーレンズ系１１は、２枚の凸レンズ１１ａ、１１ｂを含んで構成されている。凸レンズ１１ａ、１１ｂにより、光源Ｄｋからの光は集光された状態で（反射素子１２を介して）結像光学系１４に導かれる。リレーレンズ系１１は、「リレーレンズ光学系」の一例である。なお、光源Ｄ１に対応するリレーレンズ系１１は、光源Ｄ１からの光を集光させた状態で結像光学系１４に直接導くよう構成されている。
【００２２】
リレーレンズ系１１は、凸レンズ１１ａ、１１ｂを用いた集光光学系に限られない。たとえば、光源Ｄｋから出射された光をコリメートさせるコリメート光学系であってもよい。
【００２３】
反射素子１２は、リレーレンズ系１１を介して光源Ｄｋから導かれた光を結像光学系１４に向けて反射させる素子である。反射素子１２は、たとえばミラーやプリズムにより構成されている。反射素子１２は、リレーレンズ系１１により導かれた光を反射させる反射面１２ａを有している。
【００２４】
反射素子１２は、複数の光源Ｄｋの配置により設けられる個数が異なる。たとえば、本実施形態のようにコアＣ１の光軸上に光源Ｄ１を配置する場合、反射素子１２は、他の光源Ｄ２〜Ｄ７のそれぞれに対応する６個設けられる。
【００２５】
反射面１２ａは、対応するコアＣｋの光軸に対して所定の角度を有している。この角度は、光源Ｄｋ、コアＣｋ（マルチコアファイバ１）及び結像光学系１４の配置により決定される。本実施形態において、コアＣ２〜Ｃ７は、Ｃ１を中心とする同心円上に配置されているため、各反射面１２ａの角度は等しくなっている。一方、コアＣｋが同心円状にない場合や、コアＣｋが径の異なる複数の同心円上に配置されている場合、反射面１２ａは対応するコアＣｋの配置により、異なる角度で形成される。
【００２６】
支持部材１３は、複数の光源Ｄｋ（対応するリレーレンズ系１１及び反射素子１２）のうち少なくとも２つを支持する板状部材である。本実施形態では、図３に示すように、光源Ｄ２〜Ｄ７、対応するリレーレンズ系１１及び反射素子１２が支持部材１３により支持されている。複数の光源Ｄｋ（Ｄ２〜Ｄ７）は、その間隔ｐ（隣り合う光源Ｄｋにおける光の出射端間の距離。図３参照。本実施形態では、光源Ｄ２〜Ｄ７それぞれの間隔は等しいものとする）がマルチコアファイバ１の複数のコアＣｋ間の間隔Ｐ（隣り合うコアＣｋの光軸間距離。図２参照）よりも広くなるよう配置されている。また、支持部材１３の中央には、光源Ｄ１からの光を通過させる孔部１３ａが設けられている。なお、光源Ｄ１は、支持部材１３とは異なる部材により所定の位置（コアＣ１の光軸上）に支持されている。
【００２７】
支持部材１３に支持された光源Ｄｋは同一平面上に配置されることとなる。同一平面上に複数の光源Ｄｋ（対応するリレーレンズ系１１及び反射素子１２）を配置することにより、構成が簡素化できるだけでなく、予め光源Ｄｋ、リレーレンズ系１１及び反射素子１２の位置調整を行うことができる。よって、結合光学系１０の組み立てが容易となる（すなわち、マルチコアファイバ１と光源Ｄｋとの結合も容易となる）。なお、各光源Ｄｋ間の間隔ｐをより広くとるためには、各光源Ｄｋを異なる支持部材により支持させることも可能である。
【００２８】
マルチコアファイバ１、光源Ｄｋ、リレーレンズ系１１及び反射素子１２の少なくとも１つを、光源Ｄｋの光軸方向（又はマルチコアファイバ１の光軸方向）に対して垂直に移動させることも可能である。この場合、光源Ｄｋからの光をマルチコアファイバ１のコアＣｋに入射させる際の位置調整を行うことができる。また、光源Ｄｋからの光をマルチコアファイバ１のコアＣｋに対して個別に位置調整することができる。これにより、結合効率の向上を図ることができる。
【００２９】
結像光学系１４は、反射素子１２で反射された光を集光させ、対応するコアＣｋに入射させる機能を有している。本実施形態では、結像光学系１４として１枚の凸レンズが配置されている。なお、結像光学系１４は、光源Ｄ１から直接導かれた光を集光させ、マルチコアファイバ１のコアＣ１に入射させる機能も有している。
【００３０】
［光の進み方について］
次に、図２を参照して、本実施形態に係る光の進み方について説明する。本実施形態では、複数の光源Ｄｋから光を出射させ、マルチコアファイバ１に導く構成について説明する。すなわち、本実施形態における複数の光源Ｄｋは、「出射側素子」の一例である。一方、本実施形態におけるマルチコアファイバ１は、「入射側素子」の一例である。
【００３１】
まず、複数の光源Ｄ１〜Ｄ７それぞれから光が出射される。出射された光は、それぞれ拡散しながら、対応するリレーレンズ系１１に入射する。入射した光は、リレーレンズ系１１により集光され、反射素子１２に対して出射する。なお、光源Ｄ１からの光は、リレーレンズ系１１により直接、結像光学系１４に導かれる。
【００３２】
複数の光源Ｄ２〜Ｄ７に対応するリレーレンズ系１１から出射された光それぞれは、対応する反射素子１２の反射面１２ａで反射され、結像光学系１４に導かれる。
【００３３】
反射面１２ａで反射した光それぞれは、結像光学系１４により集光され、対応するコアＣ２〜Ｃ７に入射する。なお、光源Ｄ１からの光は、反射素子１２を介することを除き、同様にしてコアＣ１に入射する。
【００３４】
ここで、本実施形態では、複数の光源Ｄｋから出射された複数の光を、結合光学系１０を介してマルチコアファイバ１に導く例について説明したが、光を出射する対象はこれに限られない。たとえば、複数の光源Ｄｋとリレーレンズ系１１との間に複数のシングルコアファイバからなるファイバ束（図示なし）を配し、複数の光源Ｄｋからの光を間接的にマルチコアファイバ１に導くことも可能である。この場合、複数のシングルコアファイバ間の間隔（隣り合うシングルコアファイバの光軸間距離）が、マルチコアファイバ１の複数のコアＣｋ間の間隔Ｐより広くなるよう配置される。ここでは、ファイバ束（複数のシングルコアファイバ）が「出射側素子」の一例である。
【００３５】
或いは、上述の結合光学系１０を用い、マルチコアファイバ１（複数のコアＣｋ）から出射される複数の光それぞれを、受光素子又はファイバ束（いずれも図示なし）に導くことも可能である。この場合、複数の受光素子間の間隔（隣り合う受光素子の受光面の中心間距離）又は複数のシングルコアファイバ間の間隔のうちいずれかが、マルチコアファイバ１の複数のコアＣｋ間の間隔Ｐより広くなるよう配置される。ここでは、マルチコアファイバ１が、「出射側素子」の一例である。また、受光素子又はファイバ束が「入射側素子」の一例である。
【００３６】
また、この場合、結像光学系１４は、マルチコアファイバ１のコアＣｋからの光それぞれを、対応する反射素子１２に導くための機能を奏する。すなわち、ここでは結像光学系１４が、「リレーレンズ光学系」に該当する。
【００３７】
更に、この場合、リレーレンズ系１１は、反射素子１２で反射された光を受光素子又はファイバ束を形成するシングルコアファイバに集光させる機能を奏する。すなわち、ここではリレーレンズ系１１が、「結像光学系」に該当する。
【００３８】
［作用・効果］
本実施形態の作用及び効果について説明する。
【００３９】
本実施形態に係るマルチコアファイバ１の結合構造は、光学素子と、マルチコアファイバ１と、結合光学系１０とを有する。光学素子は、複数の光源Ｄｋ、複数の受光素子、及び複数のシングルコアファイバを束ねたファイバ束のうちのいずれかからなる。マルチコアファイバ１は、複数のコアＣｋがクラッド２で覆われている。結合光学系１０は、光学素子及びマルチコアファイバ１の間に配置され、光学素子とマルチコアファイバ１とを光学的に結合する。また、複数の光源Ｄｋ間の間隔ｐ、複数の受光素子間の間隔及び複数のシングルコアファイバ間の間隔のうちいずれかが、マルチコアファイバ１の複数のコアＣｋ間の間隔Ｐより広くなるよう配置されている。結合光学系１０は、反射素子１２と、結像光学系１４とを有する。反射素子１２は、光学素子及びマルチコアファイバ１の一方からなる出射側素子から出射した光を反射させる反射面１２ａを有する。結像光学系１４は、反射素子１２で反射された光を他方からなる入射側素子に入射させる。
【００４０】
このように、反射素子１２を介して、出射側素子（たとえば複数の光源Ｄｋ）から出射した光を、対応する入射側素子（たとえばマルチコアファイバ１のコアＣｋ）に導くことができる。よって、光学素子間の間隔（たとえば複数の光源Ｄｋ間の間隔ｐ）をマルチコアファイバ１の複数のコアＣｋ間の間隔Ｐより広くすることができる。この場合、光学素子（たとえば光源Ｄｋ）のサイズによる光学素子同士の物理的干渉や、光学素子（たとえば光源Ｄｋ）が発する熱や電気ノイズの影響により結合効率の低下を招くことが無い。すなわち、マルチコアファイバ１と他の光学素子とを結合する際に、結合効率の低下を抑制することができる。
【００４１】
また、本実施形態に係る出射側素子又は入射側素子が複数の光源Ｄｋ又は複数の受光素子からなる場合、複数の光源Ｄｋ又は複数の受光素子のうち少なくとも２つは、同一平面上に配置されている。
【００４２】
このように複数の光源Ｄｋ（又は複数の受光素子）を配置することにより、構成が簡素化できる。また、マルチコアファイバ１と光学素子を結合させる前に、光源Ｄｋ、リレーレンズ系１１及び反射素子１２の位置調整を行うことができる。よって、結合光学系１０の組み立てが容易となる。
【００４３】
また、本実施形態に係る結合光学系１０は、リレーレンズ光学系（リレーレンズ系１１）を有する。リレーレンズ光学系は、出射側素子から出射した光を結像光学系１４に導く。そして、出射側素子、入射側素子、リレーレンズ光学系及び反射素子のいずれかを移動させることにより出射側素子と入射側素子との位置調整が可能となる。
【００４４】
この場合、出射側素子（たとえば光源Ｄｋ）からの光を入射側素子（たとえばマルチコアファイバ１）に入射させる際の位置調整を行うことが可能となる。従って、結合効率の向上を図ることができる。
【００４５】
＜第１実施形態の変形例１＞
次に、図４を参照して、第１実施形態の変形例に係るマルチコアファイバ１の結合構造について説明する。図４は、結合光学系１０、光源Ｄｋ及びマルチコアファイバ１の軸方向の断面図である。図４ではマルチコアファイバ１の３つのコア（Ｃ１、Ｃ２、Ｃ５）に対応する３個の光源（Ｄ１、Ｄ２、Ｄ５）のみを示している。
【００４６】
第１実施形態では、結像光学系１４として１枚の凸レンズを有する構成について述べたが、結像光学系１４はこの構成に限られない。結像光学系１４として、複数のマイクロレンズＭｋ（ｋ＝１〜ｎ）を有する構成も可能である。
【００４７】
マイクロレンズＭｋは、マルチコアファイバ１のコアＣｋと等しい数だけ設けられる。本変形例では、コアＣ１〜Ｃ７に対応するマイクロレンズＭ１〜Ｍ７が設けられている（図４では、コアＣ１、Ｃ２、Ｃ５に対応するマイクロレンズＭ１、Ｍ２、Ｍ５のみを示している）。複数のマイクロレンズＭｋは、アレイ状に配置されている。また、各マイクロレンズＭｋは、その中心が、対応するコアＣｋの光軸上に位置するように設置されている。
【００４８】
このように、結像光学系１４として、マイクロレンズＭｋを用いることにより、光源Ｄｋ等からの光を確実にコアＣｋに導くことができる（または、コアＣｋからの光を確実に受光素子等に導くことができる）。よって、マルチコアファイバ１と他の光学素子とを結合する際に、結合効率を向上させることが可能となる。
【００４９】
＜第１実施形態の変形例２＞
次に、図５を参照して、第１実施形態の反射素子１２の変形例について説明する。図５は、反射部材１５の斜視図である。
【００５０】
第１実施形態では、光源Ｄ２〜Ｄ７に対応する６つの反射素子１２を個別に設ける構成について述べた。一方、複数の反射素子１２を一体化した反射部材１５を用いることも可能である。本変形例における反射部材１５は、「反射素子」の一例である。
【００５１】
反射部材１５は、光学素子（たとえば光源Ｄｋ）の配置に応じた複数の反射面１５ａを有する。反射面１５ａは、光学素子（たとえば光源Ｄｋ）からの光を反射させ、結像光学系１４に導く。本変形例では、光源Ｄ２〜Ｄ７に対応する６つの反射面１５ａが設けられている。また、本変形例では、反射部材１５に平面１５ｂが設けられている。平面１５ｂは、光源Ｄ１からの光を透過させるよう構成されている。
【００５２】
なお、ここでは６つの反射素子１２を一体化した反射部材１５について説明したが、たとえば、３つの反射素子１２を一体化した反射部材１５を２つ設ける構成であってもよい。すなわち、２つ以上の反射面を有する反射部材を複数設けることも可能である。
【００５３】
また、平面１５ｂ部分に、光源Ｄ１からの光を通過させる孔部を設けてもよい。その場合、光源Ｄ１からの光は、反射部材１５が有する屈折率の影響を受けることがない。よって、対応するコアＣ１に入射する際の結合効率を向上することができる。
【００５４】
このように、反射素子１２を一の部材により形成した場合であっても、出射側素子（たとえば複数の光源Ｄｋ）から出射した光を、対応する入射側素子（たとえばマルチコアファイバ１のコアＣｋ）に導くことができる。よって、光学素子間の間隔（たとえば複数の光源Ｄｋ間の間隔ｐ）をマルチコアファイバ１の複数のコアＣｋ間の間隔Ｐより広くすることができる。この場合、光学素子（たとえば光源Ｄｋ）のサイズによる光学素子同士の物理的干渉や、光学素子（たとえば光源Ｄｋ）が発する熱や電気ノイズの影響により結合効率の低下を招くことが無い。すなわち、マルチコアファイバ１と他の光学素子とを結合する際に、結合効率の低下を抑制することができる。更に、反射素子を一の部材により形成することで、複数の反射素子を個別に調整する必要がない。よって、反射素子の位置調整が容易となる。また、反射素子が一の部材で形成されているため、結合光学系の小型化を図ることができる。
【００５５】
＜第２実施形態＞
次に、図６を参照して、第２実施形態に係るマルチコアファイバ１の結合構造について説明する。本実施形態では、複数の光源Ｄｋ（ｋ＝１〜ｎ）とマルチコアファイバ１とを、結合光学系２０により結合する構造について述べる。光源Ｄｋは、結合するマルチコアファイバ１のコア数と等しい数だけ設けられている。図６は、結合光学系２０、光源Ｄｋ及びマルチコアファイバ１の軸方向の断面図である。図６では、コアＣ１の光軸を中心とした回転対称構造若しくは立体構造となっているコアＣｋのうち、５つのコア（Ｃ１〜Ｃ５）、及び対応する５つの光源（Ｄ１〜Ｄ５）、５つのマイクロレンズ（Ｍ１〜Ｍ５）のみを示している。第１実施形態と同様の構成については、詳細な説明を省略する場合がある。
【００５６】
［結合光学系の構成］
結合光学系２０は、光源Ｄｋ及びマルチコアファイバ１の間に配置され、光源Ｄｋとマルチコアファイバ１とを光学的に結合する。結合光学系２０は、リレーレンズ系２１と、反射部材２２と、結像光学系２４とを含んで構成されている。
【００５７】
リレーレンズ系２１は、光源Ｄｋから出射された光を（反射部材２２を介して）結像光学系２４に導く機能を有している。リレーレンズ系２１は、光源Ｄｋと等しい数だけ設けられている。リレーレンズ系２１は、１枚のコリメートレンズを含んで構成されている。コリメートレンズにより、光源Ｄｋからの光はコリメートされた状態で（反射素子１２を介して）結像光学系２４に導かれる。リレーレンズ系２１は、「リレーレンズ光学系」の一例である。なお、光源Ｄ１に対応するリレーレンズ系２１は、光源Ｄ１からの光をコリメートさせた状態で結像光学系２４に直接導くよう構成されている。
【００５８】
リレーレンズ系２１は、コリメートレンズを用いたコリメート光学系に限られない。たとえば、複数の凸レンズを用いた集光光学系であってもよい。
【００５９】
反射部材２２は、リレーレンズ系２１を介して光源Ｄｋから導かれた光を、結像光学系２４に向けて反射させる一つの部材である。反射部材２２には、リレーレンズ系２１により導かれた光を反射させる反射面２２ａが複数形成されている。本実施形態における反射部材２２は、「反射素子」の一例である。
【００６０】
反射面２２ａそれぞれは、光源Ｄｋから出射した光のうち、少なくとも２つの光を反射させるよう、光源Ｄｋから出射した複数の光の進行方向に対して斜設されている。たとえば、図６で下側に位置する反射面２２ａは、光源Ｄ３及びＤ５からの光を結像光学系２４に向けて反射させる。反射面２２ａは、コアＣｋの構造（たとえば、コアＣ１の光軸を中心とした回転対称構造若しくは立体構造）に対応するよう設置されている。
【００６１】
本実施形態では、一の反射面２２ａに入射する２つの光の光軸間距離αと、その反射面２２ａで反射された２つの光の光軸間距離α´（コアＣｋ間の間隔Ｐに等しい）は等しくなっている。この場合、複数の光源Ｄｋの間隔ｐがマルチコアファイバ１の複数のコアＣｋ間の間隔Ｐよりも広くなるよう、光源Ｄｋの位置決めがなされる。
【００６２】
反射部材２２の反射面２２ａは、複数の光源Ｄｋの配置や一の反射面２２ａで反射させる光の数により設けられる個数が異なる。たとえば、一つの反射面２２ａで２つの光を反射させる場合、反射面２２ａは光源Ｄｋの数の半分だけ設けられていればよい。また、本実施形態のようにコアＣ１の光軸上に光源Ｄ１を配置する場合、光源Ｄ１からの光は、反射部材２２を透過し、結像光学系２４に導かれる。よって、反射面２２ａは、光源Ｄ１を除く他の光源Ｄｋの数の半分だけ設けられていればよい。
【００６３】
反射面２２ａは、対応するコアＣｋの光軸に対して所定の角度を有している。この角度は、光源Ｄｋ、コアＣｋ（マルチコアファイバ１）及び結像光学系２４の配置により決定される。すなわち、各反射面２２ａの角度は、等しくなる場合や異なる場合がある。
【００６４】
なお、反射部材２２の中央部に、光源Ｄ１からの光を通過させる孔部を設けてもよい。その場合、光源Ｄ１からの光は、反射部材２２の母材屈折率の影響を受けることがない。よって、対応するコアＣ１に入射する際の結合効率を向上することができる。
【００６５】
マルチコアファイバ１、光源Ｄｋ、リレーレンズ系２１及び反射部材２２の少なくとも１つを、光源Ｄｋの光軸方向（又はマルチコアファイバ１の光軸方向）に対して垂直に移動させることも可能である。この場合、光源Ｄｋからの光をマルチコアファイバ１のコアＣｋに入射させる際の位置調整を行うことができる。また、光源Ｄｋからの光をマルチコアファイバ１のコアＣｋに対して個別に位置調整することができる。これにより、結合効率の向上を図ることができる。
【００６６】
結像光学系２４は、反射部材２２で反射された光を集光させ、対応するコアＣｋに入射させる機能を有している。本実施形態では、結像光学系２４として、コアＣｋの数と等しい数のマイクロレンズＭｋがアレイ状に配置されている。なお、マイクロレンズＭ１は、光源Ｄ１から直接導かれた光を集光させ、マルチコアファイバ１のコアＣ１に入射させる機能も有している。
【００６７】
［光の進み方について］
次に、図６を参照して、本実施形態に係る光の進み方について説明する。本実施形態では、複数の光源Ｄｋから光を出射させ、マルチコアファイバ１に導く構成について説明する。すなわち、本実施形態における複数の光源Ｄｋは、「出射側素子」の一例である。一方、本実施形態におけるマルチコアファイバ１は、「入射側素子」の一例である。
【００６８】
まず、複数の光源Ｄ１〜Ｄ５それぞれから光が出射される。出射された光は、それぞれ拡散しながら、対応するリレーレンズ系２１に入射する。入射した光は、リレーレンズ系２１によりコリメートされ、反射部材２２に対して出射する。なお、光源Ｄ１からの光は、リレーレンズ系２１により直接、結像光学系２４に導かれる。
【００６９】
複数の光源Ｄ２〜Ｄ５に対応するリレーレンズ系２１から出射された光それぞれは、反射部材２２の反射面２２ａで反射され、結像光学系２４に導かれる。たとえば、光源Ｄ３、Ｄ５から出射された光は、一の反射面２２ａにより反射され、対応するマイクロレンズＭ３、Ｍ５に導かれる。
【００７０】
反射面２２ａで反射した光それぞれは、結像光学系２４により集光され、対応するコアＣｋに入射する。たとえば、マイクロレンズＭ３、Ｍ５で集光された光は、対応するコアＣ３、Ｃ５に入射する。なお、光源Ｄ１からの光は、反射部材２２を介することを除き、同様にしてコアＣ１に入射する。
【００７１】
ここで、本実施形態では、複数の光源Ｄｋから出射された複数の光を、結合光学系２０を介してマルチコアファイバ１に導く例について説明したが、光を出射する対象はこれに限られない。たとえば、複数の光源Ｄｋとリレーレンズ系２１との間に複数のシングルコアファイバからなるファイバ束（図示なし）を配し、複数の光源Ｄｋからの光を間接的にマルチコアファイバ１に導くことも可能である。この場合、複数のシングルコアファイバ間の間隔が、マルチコアファイバ１の複数のコアＣｋ間の間隔Ｐより広くなるよう配置される。ここでは、ファイバ束（複数のシングルコアファイバ）が「出射側素子」の一例である。
【００７２】
或いは、上述の結合光学系２０を用い、マルチコアファイバ１（複数のコアＣｋ）から出射される複数の光それぞれを、受光素子又はファイバ束（いずれも図示なし）に導くことも可能である。この場合、複数の受光素子間の間隔又は複数のシングルコアファイバ間の間隔のうちいずれかが、マルチコアファイバ１の複数のコアＣｋ間の間隔Ｐより広くなるよう配置される。ここでは、マルチコアファイバ１が、「出射側素子」の一例である。また、受光素子又はファイバ束が「入射側素子」の一例である。
【００７３】
また、この場合、結像光学系２４は、マルチコアファイバ１のコアＣｋからの光それぞれを、反射部材２２（反射面２２ａ）に導くための機能を奏する。すなわち、ここでは結像光学系２４が、「リレーレンズ光学系」に該当する。
【００７４】
更に、この場合、リレーレンズ系２１は、反射部材２２（反射面２２ａ）で反射された光を受光素子又はファイバ束を形成するシングルコアファイバに集光させる機能を奏する。すなわち、ここではリレーレンズ系２１が、「結像光学系」に該当する。
【００７５】
［作用・効果］
本実施形態の作用及び効果について説明する。
【００７６】
本実施形態に係る反射素子（反射部材２２）の反射面２２ａは、出射側素子（たとえば、複数の光源Ｄｋ）から出射した光のうち、少なくとも２つの光を反射させるよう、出射側素子から出射した複数の光の進行方向に対して斜設されている。
【００７７】
このように、反射素子を一の部材により形成し、一の反射面２２ａで少なくとも２つの光を反射させる構成であっても、出射側素子（たとえば複数の光源Ｄｋ）から出射した光を、対応する入射側素子（たとえばマルチコアファイバ１のコアＣｋ）に導くことができる。よって、光学素子間の間隔（たとえば複数の光源Ｄｋ間の間隔ｐ）をマルチコアファイバ１の複数のコアＣｋ間の間隔Ｐより広くすることができる。この場合、光学素子（たとえば光源Ｄｋ）のサイズによる光学素子同士の物理的干渉や、光学素子（たとえば光源Ｄｋ）が発する熱や電気ノイズの影響により結合効率の低下を招くことが無い。マルチコアファイバ１と他の光学素子とを結合する際に、結合効率の低下を抑制することができる。
【００７８】
更に、反射素子を一の部材により形成することで、複数の反射素子を個別に調整する必要がない。よって、構成を簡素化することができ、且つ反射素子の位置調整が容易となる。また、コアＣ１の光軸と対称位置にある光源（たとえば、Ｄ２とＤ３、Ｄ４とＤ５）を同一平面上に配置することも可能である。よって、構成を簡素化することができ、且つ光学素子の位置調整が容易となる。
【００７９】
＜第３実施形態＞
次に、図７を参照して、第３実施形態に係るマルチコアファイバ１の結合構造について説明する。本実施形態では、複数の光源Ｄｋ（ｋ＝１〜ｎ）とマルチコアファイバ１とを、結合光学系２０´により結合する構造について述べる。光源Ｄｋは、結合するマルチコアファイバ１のコア数と等しい数だけ設けられている。図７は、結合光学系２０´、光源Ｄｋ及びマルチコアファイバ１の軸方向の断面図である。図７では、コアＣ１の光軸を中心とした回転対称構造若しくは立体構造となっているコアＣｋのうち、９つのコア（Ｃ１〜Ｃ９）、及び対応する９つの光源（光源Ｄ１〜Ｄ９）、９つのマイクロレンズ（Ｍ１〜Ｍ９）のみを示している。第２実施形態と同様の構成については、詳細な説明を省略する場合がある。
【００８０】
［結合光学系の構成］
結合光学系２０´は、光源Ｄｋ及びマルチコアファイバ１の間に配置され、光源Ｄｋとマルチコアファイバ１とを光学的に結合する。結合光学系２０´は、リレーレンズ系２１と、反射部材２５と、結像光学系２４とを含んで構成されている。リレーレンズ系２１及び結像光学系２４は、第２実施形態と同様の構成であるため、詳細な説明を省略する。
【００８１】
反射部材２５は、リレーレンズ系２１を介して光源Ｄｋから導かれた光を結像光学系２４に向けて反射させる一つの部材である。反射部材２５には、リレーレンズ系２１により導かれた光を反射させる反射面２５ａが複数形成されている。本実施形態における反射部材２５は、「反射素子」の一例である。
【００８２】
各反射面２５ａは、段差状に形成されている。本実施形態では、一つの反射面２５ａに３つの段差が形成されている。すなわち、一つの反射面２５ａには、４つの反射領域２５１ａ〜２５４ａが形成されている。反射領域２５１ａ〜２５４ａは、光源Ｄｋから出射した光を結像光学系２４に向けて反射させる。たとえば、図７で下側に位置する反射領域２５１ａ〜２５４ａそれぞれは、光源Ｄ３、Ｄ５、Ｄ７、Ｄ９からの光を、対応するマイクロレンズＭ３、Ｍ５、Ｍ７、Ｍ９に向けて反射させる。反射面２５ａは、コアＣｋの構造（たとえば、コアＣ１の光軸を中心とした回転対称構造若しくは立体構造）に対応するよう設置されている。
【００８３】
本実施形態において、反射領域２５１ａ〜２５４ａに入射する光の光軸間距離αは、反射領域２５１ａ〜２５４ａで反射された光の光軸間距離α´（コアＣｋ間の間隔Ｐに等しい）よりも大きくなっている。従って、コアＣｋ間の間隔Ｐに比べ光源Ｄｋの間隔ｐを広くすることができる。つまり、図７に示すように、一の反射面２５ａに対応する光源Ｄｋ（たとえば、光源Ｄ３、Ｄ５、Ｄ７、Ｄ９）を同一面上に配置することができる。
【００８４】
反射部材２５の反射面２５ａは、複数の光源Ｄｋの配置や一つの反射面２５ａにいくつの段差を設けるかにより設けられる個数が異なる。たとえば、本実施形態のようにコアＣ１の光軸上に光源Ｄ１を配置する場合、光源Ｄ１からの光は、反射部材２５を透過し、結像光学系２４に導かれる。また、一つの反射面２５ａに３つの段差を形成する場合、一つの反射面２５ａには、４つの反射領域が形成されることとなる。従って、反射面２５ａは、光源Ｄ１を除く他の光源Ｄｋの数の１／４だけ設けられていればよい。
【００８５】
反射面２５ａ（各反射領域）は、対応するコアＣｋの光軸に対して所定の角度を有している。この角度は、光源Ｄｋ、コアＣｋ（マルチコアファイバ１）及び結像光学系２４の配置により決定される。すなわち、各反射面２５ａの角度は、等しくなる場合や異なる場合がある。
【００８６】
なお、反射部材２５の中央部に、光源Ｄ１からの光を通過させる孔部を設けてもよい。その場合、光源Ｄ１からの光は、反射部材２５の母材屈折率の影響を受けることがない。よって、対応するコアＣ１に入射する際の結合効率を向上することができる。
【００８７】
マルチコアファイバ１、光源Ｄｋ、リレーレンズ系２１及び反射部材２５の少なくとも１つを、光源Ｄｋの光軸方向（又はマルチコアファイバ１の光軸方向）に対して垂直に移動させることも可能である。この場合、光源Ｄｋからの光をマルチコアファイバ１のコアＣｋに入射させる際の位置調整を行うことができる。また、光源Ｄｋからの光をマルチコアファイバ１のコアＣｋに対して個別に位置調整することができる。これにより、結合効率の向上を図ることができる。
【００８８】
［光の進み方について］
次に、図７を参照して、本実施形態に係る光の進み方について説明する。本実施形態では、複数の光源Ｄｋから光を出射させ、マルチコアファイバ１に導く構成について説明する。すなわち、本実施形態における複数の光源Ｄｋは、「出射側素子」の一例である。一方、本実施形態におけるマルチコアファイバ１は、「入射側素子」の一例である。
【００８９】
まず、複数の光源Ｄ１〜Ｄ９それぞれから光が出射される。出射された光は、それぞれ拡散しながら、対応するリレーレンズ系２１に入射する。入射した光は、リレーレンズ系２１によりコリメートされ、反射部材２５に対して出射する。なお、光源Ｄ１からの光は、リレーレンズ系２１により直接、結像光学系２４に導かれる。
【００９０】
複数の光源Ｄ２〜Ｄ９に対応するリレーレンズ系２１から出射された光それぞれは、反射部材２５の反射面２５ａに形成された反射領域２５１ａ〜２５４ａで反射され、結像光学系２４に導かれる。たとえば、光源Ｄ３、Ｄ５、Ｄ７、Ｄ９から出射された光は、反射領域２５１ａ〜２５４ａにより反射され、対応するマイクロレンズＭ３、Ｍ５、Ｍ７、Ｍ９に導かれる。
【００９１】
反射領域２５１ａ〜２５４ａで反射した光それぞれは、結像光学系２４により集光され、対応するコアＣｋに入射する。たとえば、マイクロレンズＭ３、Ｍ５、Ｍ７、Ｍ９で集光された光は、対応するコアＣ３、Ｃ５、Ｃ７、Ｃ９に入射する。なお、光源Ｄ１からの光は、反射部材２５を介することを除き、同様にしてコアＣ１に入射する。
【００９２】
ここで、本実施形態では、複数の光源Ｄｋから出射された複数の光を、結合光学系２０´を介してマルチコアファイバ１に導く例について説明したが、光を出射する対象はこれに限られない。たとえば、複数の光源Ｄｋとリレーレンズ系２１との間に複数のシングルコアファイバからなるファイバ束（図示なし）を配し、複数の光源Ｄｋからの光を間接的にマルチコアファイバ１に導くことも可能である。この場合、複数のシングルコアファイバ間の間隔が、マルチコアファイバ１の複数のコアＣｋ間の間隔Ｐより広くなるよう配置される。ここでは、ファイバ束（複数のシングルコアファイバ）が「出射側素子」の一例である。
【００９３】
或いは、上述の結合光学系２０´を用い、マルチコアファイバ１（複数のコアＣｋ）から出射される複数の光それぞれを、受光素子又はファイバ束（いずれも図示なし）に導くことも可能である。この場合、複数の受光素子間の間隔又は複数のシングルコアファイバ間の間隔のうちいずれかが、マルチコアファイバ１の複数のコアＣｋ間の間隔Ｐより広くなるよう配置される。ここでは、マルチコアファイバ１が、「出射側素子」の一例である。また、受光素子又はファイバ束が「入射側素子」の一例である。
【００９４】
また、この場合、結像光学系２４は、マルチコアファイバ１のコアＣｋからの光それぞれを、反射部材２５（反射面２５ａ）に導くための機能を奏する。すなわち、ここでは結像光学系２４が、「リレーレンズ光学系」に該当する。
【００９５】
更に、この場合、リレーレンズ系２１は、反射部材２５（反射面２５ａ）で反射された光を受光素子又はファイバ束を形成するシングルコアファイバに集光させる機能を奏する。すなわち、ここではリレーレンズ系２１が、「結像光学系」に該当する。
【００９６】
［作用・効果］
本実施形態の作用及び効果について説明する。
【００９７】
本実施形態に係る反射素子（反射部材２５）の反射面２５ａは、段差状（反射領域２５１ａ〜２５４ａ）に形成されている。
【００９８】
このように、反射素子を一の部材により形成し、段差状の反射面２５ａで光を反射させる構成であっても、出射側素子（たとえば複数の光源Ｄｋ）から出射した光を、対応する入射側素子（たとえばマルチコアファイバ１のコアＣｋ）に導くことができる。よって、光学素子間の間隔（たとえば複数の光源Ｄｋ間の間隔ｐ）をマルチコアファイバ１の複数のコアＣｋ間の間隔Ｐより広くすることができる。この場合、光学素子（たとえば光源Ｄｋ）のサイズによる光学素子同士の物理的干渉や、光学素子（たとえば光源Ｄｋ）が発する熱や電気ノイズの影響により結合効率の低下を招くことが無い。マルチコアファイバ１と他の光学素子とを結合する際に、結合効率の低下を抑制することができる。
【００９９】
更に、反射面２５ａを段差状にすることで、出射側素子（たとえば複数の光源Ｄｋ）から出射した光の光軸間の間隔αを、反射面２５ａで反射された光の光軸間の間隔α´よりも広くすることができる。すなわち、光学素子間の間隔（たとえば複数の光源Ｄｋ間の間隔ｐ）を広くとることができるため、一の反射面２５ａに対応する光学素子を同一面上に形成することができる。よって、構成を簡素化することができ、且つ光学素子の位置調整が容易となる。また、コアＣ１の光軸と対称位置にある光源（たとえば、Ｄ２とＤ３、Ｄ４とＤ５等）を同一平面上に配置することも可能である。よって、構成を簡素化することができ、且つ光学素子の位置調整が容易となる。
【０１００】
＜第１実施形態から第３実施形態の変形例＞
上記本実施形態では、光源Ｄｋ間の間隔ｐは、各光源間で等しいものとして説明しているが、マルチコアファイバ１のコアＣｋの配置等により、光源Ｄｋ間の間隔ｐは異なっていてもよい。たとえば、第１実施形態において、光源Ｄ２と光源Ｄ３間の間隔と光源Ｄ３と光源Ｄ４間の間隔とが異なっていてもよい。
【０１０１】
光源Ｄｋ間の間隔ｐは、少なくとも、対応するコアＣｋ間の間隔よりも広くなっていればよい。また、第２実施形態及び第３実施形態においては、光源Ｄｋからの光の光軸間距離αは、反射された光の光軸間距離α´以上であればよい。
【０１０２】
また、光源Ｄ１からの光を反射させ、マルチコアファイバ１のコアＣ１に入射させる反射面を設けてもよい。この反射面は、反射素子と一体で形成されていてもよい。
【符号の説明】
【０１０３】
１  マルチコアファイバ
１ｂ  端面
２  クラッド
２ａ  端面
１０  結合光学系
１１  リレーレンズ系
１１ａ、１１ｂ  凸レンズ
１２  反射素子
１２ａ  反射面
１３  支持部材
１３ａ  孔部
１４  結像光学系
Ｃｋ  コア
Ｄｋ  光源
Ｅｋ  端面
【図１】
2014219428.tif 000003
【図２】
2014219428.tif 000004
【図３】
2014219428.tif 000005
【図４】
2014219428.tif 000006
【図５】
2014219428.tif 000007
【図６】
2014219428.tif 000008
【図７】
2014219428.tif 000009